(57)【要約】【課題】操作がし易く、見易い位置に、バーコードリーダを設置して操作性の向上を図ること。【解決手段】装着装置本体１Ａには非常時に装着運転を停止させるために操作される非常停止スイッチ１１が熔接で固定された断面が概ねＬ字形状の取付板１０がビス１２により固定され、取付板１０にはバーコードリーダ１５の載置台９が支軸１３を介して回動可能に設けられると共に前記支軸１３の周りに、例えば９０度間隔で開設した取付孔１４Ａの任意の位置で２本のビス１４により固定される。【選択図】　図６
2004111522.tif 000002
【特許請求の範囲】
【請求項１】
各電子部品を所定間隔毎に収納した収納テープが巻回されたテープ供給リールから１個ずつ電子部品を供給する部品供給ユニットを載置台上に複数並設し、所定の部品供給ユニットにより供給される電子部品を吸着ノズルにより取り出してプリント基板に装着する電子部品自動装着装置において、装着装置本体に固定された取付体と、前記テープ供給リールに付されたバーコードを読み取るバーコードリーダを載置して前記取付体に回動可能に設けられた載置台とを設けたことを特徴とする電子部品装着装置。
【請求項２】
前記載置台にはバーコードリーダを載置して収納するための凹部を形成したことを特徴とする請求項１に記載の電子部品装着装置。
【請求項３】
前記取付体には非常停止スイッチが設けられたことを特徴とする請求項１に記載の電子部品装着装置。
【発明の詳細な説明】
【０００１】
【発明の属する技術分野】
本発明は、電子部品を供給する部品供給ユニットを載置台上に複数並設し、所定の部品供給ユニットにより供給される電子部品を吸着ノズルにより取り出してプリント基板に装着する電子部品自動装着装置に関する。
【０００２】
【従来の技術】
この種の電子部品自動装着装置において、電子部品をその向きを整えて供給するためのバルクフィーダにおけるバルクカセットの誤挿入を防止する防止方法が提案されている（特許文献参照）。
【０００３】
【特許文献】
特開平９−１４６２６７号公報
【０００４】
【発明が解決しようとする課題】
この従来技術のようなバルクカセットのバルクフィーダへの誤挿入を防止する防止方法に限らず、電子部品を収納する部品収納テープを部品供給リールに設置するタイプの部品供給ユニットにおいても、部品収納テープが巻回された部品供給リールの部品供給ユニットへの誤取付けを防止する防止装置が必要である。この場合において、部品供給リールに付されたバーコードを読み取るバーコードリーダの操作性の向上を図ることが望まれる。
【０００５】
そこで本発明は、操作がし易く、見易い位置に、バーコードリーダを設置して操作性の向上を図ることを目的とする。
【０００６】
【課題を解決するための手段】
このため第１の発明は、各電子部品を所定間隔毎に収納した収納テープが巻回されたテープ供給リールから１個ずつ電子部品を供給する部品供給ユニットを載置台上に複数並設し、所定の部品供給ユニットにより供給される電子部品を吸着ノズルにより取り出してプリント基板に装着する電子部品自動装着装置において、装着装置本体に固定された取付体と、前記テープ供給リールに付されたバーコードを読み取るバーコードリーダを載置して前記取付体に回動可能に設けられた載置台とを設けたことを特徴とする。
【０００７】
第２の発明は、前記載置台にはバーコードリーダを載置して収納するための凹部を形成したことを特徴とする。
【０００８】
第３の発明は、前記取付体には非常停止スイッチが設けられたことを特徴とする。
【０００９】
【発明の実施の形態】
以下図面に基づき、本発明の実施の形態を説明する。先ず、図１及び図２において、電子部品装着装置１は、電子部品をプリント基板に装着する装着部２を挟んで相互に平行に、電子部品を供給する部品供給部３と、プリント基板を搬送する搬送部４とを配して構成され、前記部品供給部３は左右の補給部３Ａと、中央部の装置メンテナンスも行う供給部３Ｂとから構成されている。
【００１０】
そして、前記装着部２に配設されるインデックスユニット（図示せず）により回転テーブルが回転すると、該テーブルの外周部に搭載した各装着ヘッド（図示せず）の吸着ノズルが前記供給部３Ｂ及び搬送部４に適宜臨み、供給部３Ｂから供給される電子部品を吸着した後、搬送部４に回転搬送し、搬送部４に固定したプリント基板に該電子部品を装着する。
【００１１】
即ち、ガイドレールに沿ってスライド可能な供給台に複数の部品供給装置である部品供給ユニット５が並設して搭載され、前記供給部３が構成される。前記供給台をスライドさせて前記吸着ノズルの吸着位置に前記部品供給ユニット５を選択的に臨ませ、電子部品を所定間隔毎に収納する収納テープが巻回されたテープ供給リール５Ａから巻き出された収納テープから随時、電子部品が吸着ノズルにより吸着され取出される。尚、前記テープ供給リール５Ａには、電子部品の種類などを表示するバーコード６が付されている（図３参照）。
【００１２】
そして、この供給部３全体は、電子部品装着装置１の背面より開閉できる複数の開閉カバー７により覆われている。この各開閉カバー７は上下２枚のカバー体８とで構成され、両カバー体８はヒンジを介して裏面同士が重なる方向に回動可能に連結されると共に上のカバー体８の上端部はヒンジを介して装着装置本体１Ａに回動可能に支持されている。また、補給部３Ａの各開閉カバー７に対応して装着装置本体１Ａには準備完了スイッチ１Ｓが設けられている。
【００１３】
更に詳述すると、各カバー体８は、外枠と該外枠に着脱可能にビスで固定される透明な合成樹脂材料で作製されるカバーで構成され、前記部品供給ユニット５の動きや電子部品の吸着の状態がカバーを介して目視できるようになっている。そして、部品供給ユニット５の交換や、電子部品の補給その他テープカセット等のメンテナンスのために、前記外枠の下部表面側に設けられた把手を把持して上方へ引き上げるようにして前記開閉カバー７は開放されるものである。
【００１４】
また、装着装置本体１Ａには非常時に装着運転を停止させるために操作される非常停止スイッチ１１が熔接で固定された断面が概ねＬ字形状の取付板１０がビス１２により固定され、前記取付板１０にはバーコードリーダ１５の載置台９が支軸１３を介して回動可能に設けられると共に前記支軸１３の周りに、例えば９０度間隔で開設した取付孔１４Ａの任意の位置で２本のビス１４により固定される。尚、取付孔１４Ａは、４個に限らず、多数個開設してもよい。
【００１５】
前記載置台９には、前記バーコードリーダ１５の本体１５Ａを収納載置できるように平面視四角形状の凹部９Ａが形成され、この凹部９Ａに収納された状態の前記バーコードリーダ１５の本体１５Ａを２つの押え片１６で上方から押えた状態でビス１７で固定することにより、本体１５Ａを押え片１６で載置台９に固定する。また、前記載置台９の凹部９Ａに前記バーコードリーダ１５の本体１５Ａを収納載置している状態で、前記載置台９から前記バーコードリーダ１５が飛び出すのを防止する防止板１８が前記載置台９の側面にビス１９により固定されている。
【００１６】
前記バーコードリーダ１５は、受信部及び充電器を備えた本体１５Ａと、発信部を備えて前記本体１５Ａに上方から載置されるリーダ部１５Ｂとから構成され、図３に破線にて示されたリーダ部１５Ｂが作業者により実線にて示されたリーダ部１５Ｂのように保持され、図３に実線矢印にて示したように、リーダ部１５Ｂテープ供給リール５Ａに付されたバーコード６に近づけリーダ部１５Ｂによりバーコード６を読み取った電子部品の種類等のデータを発信部から無線で受信部に発信して、コネクタ２０及びリード線２１を介してマイクロコンピュータ等の制御回路（図示せず）に伝達通信されて、その記憶部に格納される。尚、リーダ部１５Ｂには表示部１５Ｃ、操作部１５Ｄ及びリーダ１５Ｅが設けられ、表示部１５Ｃに各種データが表示され、操作部１５Ｄにより表示部１５Ｃの表示を切替え、データの発信などが操作される。
【００１７】
以上のように、部品供給部３の近辺に前記バーコードリーダ１５を設置したために、補給部３Ａで作業者が準備完了スイッチ１Ｓをオフし、開閉カバー７の各カバー体に設けられた把手を把持して上方へ引き上げるようにして開閉カバー７を開放して、補給部３Ａにおいて開閉カバー７を開けて部品供給ユニット５を交換する際や、テープ供給リール５Ａのみを交換する際に、この供給リール５Ａに付されたバーコード６を本体１５Ａから取り外したリーダ部１５Ｂにより電子部品の種類等の情報を読み取る場合に、作業者にとって操作が容易となる。
【００１８】
また、前記読み取り作業の終了した後に、本体１５Ａにリーダ部１５Ｂを戻して載置した状態で、表示部１５Ｃに表示された各種データを作業者が見たい場合に、見易くしたい場合には、ビス１４を外して前記取付板１０に対して載置台９を支軸１３を介して回動させ、図６に示す２点鎖線で示す位置に載置台９を移動させ、前記支軸１３の周りに９０度間隔で開設した取付孔１４Ａの任意の位置に２本のビス１４により固定する。
【００１９】
即ち、図６に示す２点鎖線で示す位置のうち、例えば作業者が部品供給部３に対面したときに前記表示部１５Ｃが正対する位置に移動させ、即ち長手方向が左右方向でなく手前方向となるように載置台９を固定させることにより、表示部１５Ｃが見易くなり、作業性の向上が図れることができる。
【００２０】
本実施形態では、載置台９の一側に防止板１８を固定したが、対向する他側にも設けてもよい。
【００２１】
また、前記載置台９にはバーコードリーダ１５を載置して収納するための凹部９Ａを形成したから、この凹部９Ａからバーコードリーダ１５が飛び出すこともなく、収納箇所が一定して安定した収納が可能となる。
【００２２】
更には、前記取付板１０には非常停止スイッチ１１が設けられたから、この取付板１０を非常停止スイッチ１１の取付け用と載置台９の取付け用とに兼用できるから、改まった取付板を設ける必要がない。
【００２３】
以上本発明の実施態様について説明したが、上述の説明に基づいて当業者にとって種々の代替例、修正又は変形が可能であり、本発明はその趣旨を逸脱しない範囲で前述の種々の代替例、修正又は変形を包含するものである。
【００２４】
【発明の効果】
以上のように本発明は、操作がし易く、見易い位置に、バーコードリーダを設置して操作性の向上を図ることができる。
【図面の簡単な説明】
【図１】電子部品装着装置の平面図である。
【図２】電子部品装着装置の背面図である。
【図３】部品供給ユニットとバーコードリーダとを示す図である。
【図４】バーコードリーダを載置台に収納した状態の平面図である。
【図５】バーコードリーダを載置台に収納した状態の正面図である。
【図６】バーコードリーダを載置台に収納した状態の平面図である。
【符号の説明】
１　　　　　　電子部品装着装置
１Ａ　　　　　装着装置本体
３　　　　　　部品供給部
５　　　　　　部品供給ユニット
９　　　　　　載置台
９Ａ　　　　　凹部
１０　　　　　取付板
１１　　　　　非常停止スイッチ
１３　　　　　支軸
１５　　　　　バーコードリーダ
【図１】
2004111522.tif 000003
【図２】
2004111522.tif 000004
【図３】
2004111522.tif 000005
【図４】
2004111522.tif 000006
【図５】
2004111522.tif 000007
【図６】
2004111522.tif 000008